(57)【要約】【課題】  ロール幅よりも長寸となる芯材を用いる必要性がなく、物品の最大幅を抑制してスペースの効率的な利用を図るとともに、装置各部構造の簡略化を達成できる入出庫装置を提供する。【解決手段】  ロール状の物品Ｗを支持するラック装置１１にガイドレール１３が併設され、ガイドレール１３に沿ってローダ１２が移動可能に設けられている。ラック装置は、物品Ｗを片持ち姿勢で支持する支持アーム２６を備える一方、ローダは、支持アームの先端側から前進して支持アームを受容する位置に移動可能な移載アーム７５を備える。ローダは、昇降体３１と、水平面内で回転可能な回転体３３と、移載アームを支持するスライダ３４を含む。物品を出し入れするときは、支持アームに対向する位置まで移載アームを移動させ、移載アームを物品の芯材２８内に挿入して支持替えを行い、その状態でローダを初期位置に復帰させることにより行われる。【選択図】          図３
2006160477.tif 000002
【特許請求の範囲】
【請求項１】
中心部に筒状空間を備えたロール状の物品を収納するラック装置と、当該ラック装置に対して前記物品の出し入れを行うローダとを備えた入出庫装置において、
前記ラック装置は、前記筒状空間内に延びて物品を収納位置に保つとともに前記物品を片持ち状態で支持する支持アームを備えている一方、前記ローダは、前記支持アームと干渉することなく前記筒状空間に対して進退可能に設けられた移載アームを備え、
前記移載アームと前記支持アームとを相対移動させることで前記収納位置に対して物品が出し入れ可能に設けられていることを特徴とする入出庫装置。
【請求項２】
前記支持アームは上下及び横方向に沿って所定間隔をおいて相互に平行に配置され、前記移載アームは、各支持アームの収納位置に対して選択的に移動可能に設けられていることを特徴とする請求項１記載の入出庫装置。
【請求項３】
前記ラック装置の側方床面上にガイドレールが敷設され、当該ガイドレールに沿って前記ローダが移動可能に設けられていることを特徴とする請求項１又は２記載の入出庫装置。
【請求項４】
前記ローダは前記ガイドレールに沿って移動可能に設けられたローダ本体と、当該ローダ本体に昇降可能に設けられた昇降体と、この昇降体に支持されるとともに前記収納位置に対して進退可能なスライダとを備え、このスライダに前記移載アームが支持されていることを特徴とする請求項３記載の入出庫装置。
【請求項５】
前記スライダは、略水平面内で回転可能に支持されていることを特徴とする請求項１ないし４の何れかに記載の入出庫装置。
【請求項６】
中心部に筒状空間を備えたロール状の物品を収納するとともに、出し入れ側が対向する方向に向けられた一対のラック装置と、これらラック装置間の床面上に敷設されたガイドレールと、当該ガイドレールに沿って移動可能に設けられたローダとを備え、
前記各ラック装置は、前記物品の軸方向一端側を対向するラック装置側に向けて当該物品を片持ち姿勢で支持する複数の支持アームを上下及び横方向に所定間隔を隔てて備え、
前記ローダは、前記ガイドレールに沿って移動可能なローダ本体と、このローダ本体に昇降可能に設けられた昇降体と、当該昇降体に平面内で回転可能に支持された回転体と、この回転体に支持されるとともに前記物品に対して進退可能に設けられたスライダとを備え、
前記スライダは、前記筒状空間に対して前記支持アームと干渉することなく進退可能な移載アームを備え、
前記移載アームと前記支持アームの何れか一方が何れか他方を受容するように各アームを前記筒状空間内に位置させて各アームを上下方向に相対移動させることで、前記物品が前記支持アームに移載若しくは支持アームから取り出し可能に設けられていることを特徴とする入出庫装置。
【請求項７】
前記ローダにより取り出された物品を受け取り可能な入出庫リフタを更に含み、当該入出庫リフタは、ローダとの間で物品の受け取り若しくは受け渡しを行う位置と、所定の走行体との間で物品の受け取り若しくは受け渡しを行う位置との間で回転可能に設けられていることを特徴とする請求項１ないし６の何れかに記載の物品入出庫装置。
【発明の詳細な説明】
【技術分野】
【０００１】
本発明は入出庫装置に係り、更に詳しくは、ロール状に巻回された物品の効率的な収納と出し入れを行うことができる入出庫装置に関する。
【背景技術】
【０００２】
ポリエステルフィルムやポリオレフィンフィルム等の工業用フィルムや、上質紙、加工紙等の紙などの原反は、略円筒状の芯材を用いてロール状に巻回されて倉庫内に収納されている。このようなロール状に巻回された原反は、例えば、フィルムの片面に粘着剤等の塗布形成を行い、剥離シートを貼着し、その後にスリッター等を用いて複数の巻体に分割するなどの二次的な加工が一般的に採用されている。また、粘着加工を施されて、スリッター等の二次加工を行う前には、原反と同様にロール状に巻回されて倉庫内に収納されているものもある。
【０００３】
従って、原反状態におけるロール状の物品は、そのロール幅と巻き径が大きく、重量も非常に重い状態となっている。そのため、このような物品を在庫として保有する場合には、工場内に設けられた立体的なフレーム構造体からなる大型のラック装置を含む入出庫装置を利用することが通常となっている。
【０００４】
前記入出庫装置としては、例えば、特許文献１に記載されている。同文献に示された入出庫装置は、ロール状の物品を支持するラック装置と、前記物品をラック装置に対して出し入れするクレーンとを備えて構成されている。ロール状の物品は、芯材の両端部がロールの幅方向両端から突出する長さに設けられており、前記ラック装置には、芯材の前記突出した部分をそれぞれ支持する一対の支承部材が採用されている。この一方、クレーンは、支承部材の位置に対して進退可能に設けられたスライドと、このスライドに設けられた物品受け具とを備え、当該支承部材と干渉を生じないように物品受け具を昇降させることにより、支承部材に支持された芯材の両端部を支持して物品を取り出すことができる一方、反対の動作を行うことで物品をラック装置に収納することができるようになっている。
【０００５】
【特許文献１】特開平９−１１８４０４号公報
【発明の開示】
【発明が解決しようとする課題】
【０００６】
しかしながら、特許文献１に記載された入出庫装置にあっては、物品の両端から芯材を突出させた状態で、前記支承部材が芯材の突出部分を支持する構成であるため、当該突出した長さに応じて収納容積を狭めてしまう、という不都合がある。
特許文献１の装置では、フィルムや紙等の帯状材の幅内に収まる芯材を利用した物品を対象とした場合には適用することができず、帯状材の幅よりも長軸サイズを備えた芯材を必要とし、且つ、その長さも一定の規格を備えていなければ適用できないものとなる。これは、物品の出し入れに際して、当該物品を両持ち支持としたことに起因する。
また、このような両持ち構造を前提とした入出庫装置にあっては、芯材を支える部材が一対配置でなければならないため、装置構造を複雑化させる要因ともなる。
【０００７】
［発明の目的］
本発明は、このような不都合に着目して案出されたものであり、その目的は、ロール幅よりも長寸となる芯材を用いる必要性がなく、スペースの効率的な利用を図るとともに、装置各部構造の簡略化を達成することのできる入出庫装置を提供することにある。
【課題を解決するための手段】
【０００８】
前記目的を達成するため、本発明は、中心部に筒状空間を備えたロール状の物品を収納するラック装置と、当該ラック装置に対して前記物品の出し入れを行うローダとを備えた入出庫装置において、
前記ラック装置は、前記筒状空間内に延びて物品を収納位置に保つとともに前記物品を片持ち状態で支持する支持アームを備えている一方、前記ローダは、前記支持アームと干渉することなく前記筒状空間に対して進退可能に設けられた移載アームを備え、
前記移載アームと前記支持アームとを相対移動させることで前記収納位置に対して物品が出し入れ可能に設けられる、という構成を採っている。
【０００９】
本発明において、前記支持アームは上下及び横方向に沿って所定間隔をおいて相互に平行に配置され、前記移載アームは、各支持アームの収納位置に対して選択的に移動可能に設けられる、という構成が採用されている。
【００１０】
また、前記ラック装置の側方床面上にガイドレールが敷設され、当該ガイドレールに沿って前記ローダが移動可能に設けられている。
【００１１】
更に、前記ローダは前記ガイドレールに沿って移動可能に設けられたローダ本体と、当該ローダ本体に昇降可能に設けられた昇降体と、この昇降体に支持されるとともに前記収納位置に対して進退可能なスライダとを備え、このスライダに前記移載アームが支持される、という構成を採用することが好ましい。
【００１２】
また、前記スライダは、略水平面内で回転可能に支持される、という構成も採用されている。
【００１３】
更に、本発明は、中心部に筒状空間を備えたロール状の物品を収納するとともに、出し入れ側が対向する方向に向けられた一対のラック装置と、これらラック装置間の床面上に敷設されたガイドレールと、当該ガイドレールに沿って移動可能に設けられたローダとを備え、
前記各ラック装置は、前記物品の軸方向一端側を対向するラック装置側に向けて当該物品を片持ち姿勢で支持する複数の支持アームを上下及び横方向に所定間隔を隔てて備え、
前記ローダは、前記ガイドレールに沿って移動可能なローダ本体と、このローダ本体に昇降可能に設けられた昇降体と、当該昇降体に平面内で回転可能に支持された回転体と、この回転体に支持されるとともに前記物品に対して進退可能に設けられたスライダとを備え、
前記スライダは、前記筒状空間に対して前記支持アームと干渉することなく進退可能な移載アームを備え、
前記移載アームと前記支持アームの何れか一方が何れか他方を受容するように各アームを前記筒状空間内に位置させて各アームを上下方向に相対移動させることで、前記物品が前記支持アームに移載若しくは支持アームから取り出し可能に設けられる、という構成を採っている。
【００１４】
また、前記ローダにより取り出された物品を受け取り可能な入出庫リフタを更に含み、当該入出庫リフタは、ローダとの間で物品の受け取り若しくは受け渡しを行う位置と、所定の走行体との間で物品の受け取り若しくは受け渡しを行う位置との間で回転可能に設けられる、という構成を採ることもできる。
【発明の効果】
【００１５】
本発明によれば、ラック装置における支持アームが片持ち状態でロール状の物品を支持する構成であるため、物品の中心に筒状空間があれば当該物品を支持することができるようになり、物品の幅方向両端から外側に突出する長さを備えた芯材を利用する必要を無くすことができ、その分、収納効率を向上させることが可能となる。しかも、ロールの中心に一定の筒状空間が形成されていればよい構成であるため、芯材を用いることなくロール状に巻回された物品への適用も妨げられない。
【００１６】
また、支持アームと移載アームは、一方が他方を受容する状態で領域的に重なり合うように前記物品の筒状空間内に同時に位置可能な構成を採用することができる。例えば、移載アームがＵ字状の横断面形状を備えたものであるとした場合には、支持アームがＵ字の内部に位置可能な軸状部材とした設計が可能となり、物品の受け取り若しくは受け渡しの構造を極めて簡単なものとすることができる。この場合において、支持アームが物品を支持している状態で、移載アームが支持アームを受容する位置まで移動したときに、移載アームを僅かに上昇させるだけで移載アーム側に物品を支持替えできることになる。従って、この状態で、移載アームを後退させることで、物品を収納位置から容易に取り出すことができる。
【００１７】
このように、本発明によれば、支持アームに対して移載アームを軸方向に相対移動させるとともに、上下方向に僅かな相対移動を行うことができるスペースがあれば物品の出し入れを行うことができる。従って、多数の物品が相互に接近した状態でラック装置内に収納可能となり、前記相対移動を許容できるスペースが前記筒状空間内に確保されている限り物品の出し入れを行うことができ、ラック装置における物品の収納スペースを最大限に利用することが実現できる。
【発明を実施するための最良の形態】
【００１８】
以下、本発明の好ましい実施の形態について図面を参照しながら説明する。
【００１９】
図１には、本実施形態に係る入出庫装置の概略平面図が示され、図２には、その側面図が示され、また、図３には、その拡大正面図が示されている。これらの図において、入出庫装置１０は、帯状のフィルム若しくは紙等をロール状に巻回した物品Ｗを収納する一対のラック装置１１，１１と、これらラック装置１１，１１に対して物品Ｗを出し入れするローダ１２と、前記ラック装置１１，１１間の床面上に敷設されるとともに、前記ローダ１２をラック装置１１，１１に沿って移動可能に支持して物品Ｗの搬入、搬出路を構成するガイドレール１３，１３と、前記ローダ１２からの物品受け取りと、ローダ１２への物品受け渡しを行う一対の入出庫リフタ１４，１４とを備えて構成されている。
【００２０】
前記ラック装置１１，１１は、相互に対向する側を物品Ｗの出し入れ側として相対配置され、各ラック装置１１，１１は対称構造を備えた構成となっている。従って、以下においては、一方のラック装置１１について説明を行うものとし、他方のラック装置１１については同一符号を用いて説明を省略する。
【００２１】
前記ラック装置１１は、Ｈ型鋼若しくはＩ型鋼等を縦横に組み合わせたフレーム構造体により構成されている。具体的には、前記物品Ｗの出し入れ側に位置する内側フレーム構造体２０と、前記出し入れ側の反対側に位置する外側フレーム構造体２１と、これら内側フレーム構造体２０と外側フレーム構造体２１を相互連結する連結フレーム２２とにより構成されている。内側フレーム構造体２０と外側フレーム構造体２１は、上下方向に立設されるとともに相互に略平行に配置された複数の縦フレーム２３と、これら縦フレーム２３を相互に接続する方向（図２中左右方向）に延びる横フレーム２５とにより構成されている。ここで、内側フレーム構造体２０の横フレーム２５は、図３に示されるように、物品Ｗの出し入れを妨げることがない位置に配置されている。
【００２２】
前記外側フレーム構造体２１において、横フレーム２５には、図３に示されるように、物品Ｗをラック装置１１の収納位置に保つ支持アーム２６の一端がブラケット２７を介して固定され（図４参照）、当該支持アーム２６の他端すなわち先端は、自由端として前記物品Ｗの出し入れ側に位置するように設けられている。従って、支持アーム２６は、横フレーム２５に対して片持ち姿勢で固定されることとなり、当該支持アーム２６が物品Ｗの中央部に形成された筒状空間Ｃに対して一端側から挿入された状態において、当該物品Ｗは、実質的に片持ち姿勢で支持されることとなる。各支持アーム２６は、相互に所定間隔を隔てて上下方向及び横方向に沿う所定箇所にそれぞれ配置され、これらの支持アーム２６に物品Ｗが支持され、物品Ｗは、支持アーム２６に支持された状態で、対向するラック装置１１に支持された物品Ｗと略同一軸線上に位置する姿勢で配置されることとなる。
【００２３】
本実施形態に係るロール状の物品Ｗは、図４に示されるように、前記筒状空間Ｃを形成する鋼管、樹脂管等からなる芯材２８の外周側に帯状のフィルムが巻回されたものが対象とされている。この芯材２８の軸方向長さは、フィルム幅に略一致する幅のものが採用されている一方、内径は、前記支持アーム２６と、ローダ１２における後述する移載アームを同時に受け入れることができ、且つ、それらアームの上下方向に沿う若干の相対移動を許容できる寸法に設けられている。
【００２４】
前記ローダ１２は、図１及び図３に示されるように、前記ガイドレール１３，１３に沿って移動可能に支持されたローダ本体３０と、当該ローダ本体３０に昇降可能に設けられた昇降体３１と、この昇降体３１に水平面内で回転可能に支持されるとともに図示しないロッドレスシリンダを内蔵した回転体３３と、当該回転体３３に支持され、図３中左右方向、すなわち物品Ｗの収納位置に対して進退可能に設けられたスライダ３４とを備えて構成されている。
【００２５】
前記ローダ本体３０は、図３及び図５に示されるように、前記ガイドレール１３，１３上にそれぞれ位置する一対のベースブロック３６，３６と、これらベースブロック３６，３６の中間部及び後端部（図５中右端部）間を相互に連結する連結ブロック３７，３７と、前記ベースブロック３６，３６に立設された一対の昇降ガイド３８，３８と、これら昇降ガイド３８，３８間を相互に連結する横桟３９を備えて構成されている。前記ベースブロック３６で囲まれる内側領域には、図示しないブラケットを介してモータＭが配置されており、当該モータＭの出力軸はベースブロック３６よりも下方に突出し、当該出力軸の下端部（先端部）には水平面内で回転可能に設けられたピニオンＰ（図３参照）が固定されている。このピニオンＰは、前記ガイドレール１３，１３間で、当該ガイドレール１３，１３と平行に敷設されたラックＲに噛み合い可能に設けられている。従って、ローダ本体３０は、ピニオンＰがラックＲ上を転動することで前記ガイドレール１３，１３上で走行可能となる。
【００２６】
前記昇降ガイド３８，３８は、図３に示されるように、ラック装置１１の上端部位置に略対応する高さを備えているとともに、それらの前端面に上下方向に延びるレール４１，４１が取り付けられ、これらレール４１，４１に沿って前記昇降体３１の昇降をガイドするようになっている。また昇降ガイド３８の上端部には、図６及び図７にも示されるように、モータＭ１と減速装置４２が配置されているとともに、当該モータＭ１の側方に一対の軸受４３，４３を介して回転軸４４が支持されている。モータＭ１の出力軸には主動ギヤ４５が固定されているともに、前記回転軸４４には主動ギヤ４５に噛み合う従動ギヤ４６が固定され、モータＭ１の正逆回転によって回転軸４４が正転方向及び逆転方向に回転可能とされている。
【００２７】
前記回転軸４４において、その両端部近傍には、上部スプロケット４８，４８が固定されている一方、昇降ガイド３８，３８の下部内側には上部スプロケット４８，４８と対をなす下部スプロケット４９，４９（図５参照）が回転可能に支持され、これら上下の各スプロケット４８，４９間にチェーン５０，５０が巻装されている。従って、前記モータＭ１が回転することにより、回転軸４４の回転がチェーン５０，５０に伝達されて当該チェーン５０，５０が回行可能となる。
【００２８】
前記昇降体３１は、図３及び図８に示されるように、前記ベースブロック３６，３６の各内側に位置する一対の鉛直ブロック５３，５３と、これら鉛直ブロック５３，５３を連結するブロック連結桟５４，５４と、鉛直ブロック５３，５３の下部から前方（図８中左方）に連設されて前記ベースブロック３６，３６と略平行に位置する水平ブロック５６，５６と、これら水平ブロック５６，５６の前部間において相互に所定間隔を隔てて配置された二本の前部連結ブロック５７，５７とにより構成されている。鉛直ブロック５３，５３の後端面には、上下二箇所位置に、前記レール４１，４１に乗るスライドブロック５９，５９が固定されている一方、上部後端面には、前記チェーン５０，５０と鉛直ブロック５３，５３とを連結してこれらを一体化させるための連結ブラケット６０が設けられ、これにより、チェーン５０，５０が回行したときに、これに追従して昇降体３１が昇降可能となっている。
【００２９】
前記水平ブロック５６，５６間には、図示しないロータリアクチュエータが配置されており、当該ロータリアクチュエータの出力軸６１は、水平ブロック５６の下面より下方に突出して下端部に主動プーリ６２が固定されている（図８参照）。この主動プーリ６２の前方位置（図８中左方位置）には従動プーリ６３（図９参照）が配置されており、これらプーリ６２，６３にはベルト６４が掛け回されている。従動プーリ６３の回転軸６５は上方に延び、その上端が前記回転体３３の下部に連結されている。そのため、主動プーリ６２が回転することにより、回転軸６５が回転可能となり、当該回転軸６５に固定された回転体３３が水平面内で回転可能となる。なお、回転体３３は、平面視略長方形状をなす筐体６７を含み、当該筐体６７の上面側に、二条のスライドレール７０，７０（図８，図９参照）を備えて構成されている。
【００３０】
前記スライダ３４は、前記回転体３３に内蔵された図示しないロッドレスシリンダのピストンに連結されて前記収納位置にある物品Ｗに対して進退可能に設けられている。このスライダ３４は、図９に示されるように、前記スライドレール７０，７０上に位置するスライドプレート７２と、このスライドプレート７２の上面側から立設された起立部材７３とからなり、この起立部材７３の図９中左側端面に移載アーム７５が固定されている。この移載アーム７５は、略水平方向に延び、その先端は自由端とされている。従って、移載アーム７５は、片持ち姿勢でスライダ３４に支持されていることになる。また、移載アーム７５は、図４（Ａ）に示されるように、上部が開放する略Ｕ字状の溝７５Ａを備えた形状に設けられ、当該溝７５Ａ内に前述した支持アーム２６を先端側から受容できる内側空間を備えた構造となっており、且つ、図４（Ｂ）及び図４（Ｃ））に示されるように、移載アーム７５内に支持アーム２６が受容されたときに、これらアームを上下方向に相対的に移動させて何れかのアームが物品Ｗを支持することができる隙間が移載アーム７５の下端と芯材２８との間に形成されるようになっている。なお、移載アーム７５の上端縁には、複数の弾性部材７５Ｂが取り付けられており、これら弾性部材７５Ｂにより、物品Ｗの中心に位置する芯材２８との摩擦抵抗が付与できるように設けられている。
【００３１】
前記入出庫リフタ１４，１４は、ラック装置１１の外側フレーム構造体２１を構成する前端側（図１中左端側）の縦フレーム２３，２３にそれぞれ設けられている。各入出庫リフタ１４は、ローダ１２によってラック装置１１から物品Ｗを取り出した後に、ローダ１２から物品Ｗを受け取り、工場等の内部を移動する図示しない走行体に載せ替えるため、或いはこれの反対動作を行うために利用されるものである。従って、走行体がローダ１２の側方位置までアクセスできるものであれば、省略することも可能である。
【００３２】
前記入出庫リフタ１４は、図１０に示すように縦フレーム２３の前端面に固定された左右二本の鉛直レール８０，８０と、これら鉛直レール８０，８０に沿って昇降可能なアーム支持体８１と、当該アーム支持体８１に固定されるとともに、図１に示されるように、ローダ１２から物品Ｗを受け取る位置と、前記走行体に物品Ｗを受け渡す位置との間、すなわち、平面内における略９０度の角度範囲で回転可能に設けられたアーム８２と、前記アーム支持体８１に昇降力を付与するシリンダ装置８３と、アーム支持体８１を水平面内で回転させる駆動装置８５とを含んで構成されている。アーム８２はラック装置１１における支持アーム２６と実質的に同一形状のものが採用されている。
【００３３】
なお、前記ローダ１２及び入出庫リフタ１４は、図示しない制御装置を介して所定動作可能に設けられており、当該制御装置には、ラック装置１１における各物品Ｗの収納位置（アドレス）と、物品Ｗの種別等を記憶、更新可能なプログラムが格納されている。
【００３４】
次に、本実施形態に係る入出庫装置１０による出庫動作について説明する。
【００３５】
ここでは、説明の便宜上、ローダ１２は、図１に示される位置を初期位置として待機しているものとし、ローダ１２の昇降体３１は下降限にあって、しかも、移載アーム７５は、図３に示されるように左側のラック装置１１に先端が向けられているものとする。また、出庫対象となる物品Ｗは、図１中上方に位置するラック装置１１の最後部（右端部）の最上部に位置している物品Ｗ１とする。また、入出庫リフタ１４は、アーム８２がローダ１２側に向けられて当該ローダ１２から物品Ｗ１を受け取ることができる高さ位置にあるものとする。
【００３６】
出庫対象となる物品Ｗ１を制御装置を介して指示すると、当該制御装置が物品Ｗ１のアドレスを特定し、当該アドレスに対応する駆動信号がローダ１２に付与される。すると、ローダ１２は、モータＭを介してピニオンＰが回転してラックＲに沿って転動し、物品Ｗ１の位置に対応する側方位置までローダ１２がガイドレール１３，１３に沿って移動して停止することとなる。この際、昇降体３１は、物品Ｗを受け取る高さ位置まで同時に上昇して停止する。
【００３７】
移載アーム７５が物品Ｗを支持している支持アーム２６の延長線上に位置した状態で、前記スライダ３４が回転体３３上のスライドレール７０，７０に沿って移動し（図７参照）、移載アーム７５が物品Ｗ１の芯材２８内に前進するとともに、移載アーム７５の溝７５Ａ内に支持アーム２６が干渉することなく受容される（図４（Ｂ）参照）。
【００３８】
次いで、ローダ１２の昇降体３１が僅かに上昇し、それまで支持アーム２６に支持されていた物品Ｗ１は移載アーム７５に支持替えされることとなる（図４（Ｃ）参照）。この状態で、スライダ３４が後退し、これにより、物品Ｗ１が支持アーム２６から抜け出た状態となり（図６及び図９参照）、この状態で、ローダ１２が前記初期位置に復帰動作する。
【００３９】
物品Ｗ１が移載アーム７５に支持されてローダ１２が初期位置に復帰すると、スライダ３４が再び作動して入出庫リフタ１４側に移動してアーム８２が移載アーム７５の溝内に受容される。この後、昇降体３１が僅かに下降することで、移載アーム７５で支持されていた物品Ｗ１は、アーム８２に支持替えされ、その後にスライダ３４が後退して移載アーム７５が物品Ｗ１から抜け出ることとなる。
【００４０】
次いで、入出庫リフタ１４は、アーム８２が図１中左側に向くように略９０度回転し、図示しない走行体の受け面に物品Ｗ１を載せる。このようにして走行体に物品Ｗ１を載せた状態で、当該走行体をアームに沿って入出庫リフタ１４から離れる方向に移動させることで物品Ｗ１がアームから抜け出ることとなる。
【００４１】
なお、物品Ｗ１の入庫は、前述した動作を反対に行うことによって達成される。また、出庫する物品Ｗ１が反対側のラック装置１１の支持アーム２６に支持されている場合には、前述した動作の中間において、前記スライダ３４を支持している回転体３３の水平面内における回転動作を伴うこととなる。
【００４２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それら形状などの限定の一部若しくは全部の限定を外した部材の名称での記載は、本発明に含まれるものである。
【００４３】
例えば、前記実施形態では、ラック装置１１が一対配置となる場合を図示、説明したが、本発明はこれに限定されるものではなく、何れか一方のラック装置１１があれば足りる。この場合には、スライダ３４を支持する回転体３３を回転駆動させるための構造部品を省略することができる。
【００４４】
また、支持アーム２６と移載アーム７５に関し、それらが芯材２８内に位置して相互に干渉することなく領域的に重なり合う構造は、図示構成例に限定されるものではない。本実施形態では、移載アーム７５が横断面形状においてＵ字状の形状を備えた構成としたが、支持アーム２６側がＵ字状の形状として移載アーム７５を角柱状としてもよい。また、何れか一方が何れか他方を受容する関係になくてもよい。但し、本実施形態のように、移載アーム７５に支持アーム２６が受容される構成とすれば、物品Ｗの支持替え動作をスムースに行うことが可能となる。
【図面の簡単な説明】
【００４５】
【図１】本実施形態に係る入出庫装置の概略平面図。
【図２】前記入出庫装置の概略側面図。
【図３】一部の構成を省略した図１の拡大正面図。
【図４】（Ａ）は支持アームに物品が支持された状態と、これに対向する移載アームを示す概略斜視図、（Ｂ）は支持アームに物品が支持された状態で移載アームが物品の芯材内に入り込んだ状態を示す断面図、（Ｃ）は移載アームが支持アームを受容する状態で物品の芯材内に入り込んだ状態を示す断面図。
【図５】ローダ全体の概略拡大側面図。
【図６】スライダが後退した位置にある状態を示すローダの概略平面図。
【図７】スライダが前進した位置にある状態を示すローダの概略平面図。
【図８】ローダの昇降体を示す概略側面図。
【図９】ローダの昇降体及びスライダの概略正面図。
【図１０】入出庫リフタの概略正面図。
【符号の説明】
【００４６】
１０  入出庫装置
１１  ラック装置
１２  ローダ
１３  ガイドレール
１４  入出庫リフタ
２８  芯材
３０  ローダ本体
３１  昇降体
３３  回転体
３４  スライダ
７５  移載アーム
８２  アーム
Ｃ  筒状空間
Ｗ，Ｗ１  物品
【図１】
2006160477.tif 000003
【図２】
2006160477.tif 000004
【図３】
2006160477.tif 000005
【図４】
2006160477.tif 000006
【図５】
2006160477.tif 000007
【図６】
2006160477.tif 000008
【図７】
2006160477.tif 000009
【図８】
2006160477.tif 000010
【図９】
2006160477.tif 000011
【図１０】
2006160477.tif 000012